(57)【特許請求の範囲】
【請求項１】
ユーザーまたは運動器具に取り付けられる表示機器の第１表示部に表示されている第１オブジェクトの情報と、前記第１オブジェクトの機能に関する説明を含む第１付帯情報と、前記表示機器が備えている第１操作部を含む前記表示機器の外観に関する第２オブジェクトの情報と、前記第１操作部の機能に関する説明を含む第２付帯情報と、を取得する取得部と、
前記取得した前記第１オブジェクトの情報、前記第１付帯情報、前記第２オブジェクトの情報、及び前記第２付帯情報を用いて、前記第１オブジェクトと、前記第１オブジェクトの機能の説明と、前記第２オブジェクトと、前記第１操作部の機能の説明と、を表示する表示部と、
を含むことを特徴とする電子機器。
【請求項２】
請求項１において、
前記表示部は、前記表示機器が備えている前記第１表示部よりも表示面積が大きいことを特徴とする電子機器。
【請求項３】
請求項１または２において、
前記表示部に表示する前記第１オブジェクト及び前記第２オブジェクトを他のオブジェクトに変更する情報が入力される操作部を含むことを特徴とする電子機器。
【請求項４】
ユーザーまたは運動器具に取り付けられ、第１表示部及び第１操作部を含む表示機器と、
前記表示機器の操作を支援する電子機器と、
を含み、
前記電子機器は、
前記表示機器の前記第１表示部に表示されている第１オブジェクトの情報と、前記第１オブジェクトの機能に関する説明を含む第１付帯情報と、前記表示機器の前記第１操作部を含む前記表示機器の外観に関する第２オブジェクトの情報と、前記第１操作部の機能に関する説明を含む第２付帯情報と、を取得する取得部と、
前記取得した前記第１オブジェクトの情報、前記第１付帯情報、前記第２オブジェクトの情報、及び前記第２付帯情報を用いて、前記第１オブジェクト、前記第１オブジェクトの機能の説明、前記第２オブジェクト、及び前記第１操作部の機能の説明を表示する表示部と、
を含み、 
前記表示部は、前記表示機器が備えている前記第１表示部よりも表示面積が大きい、
ことを特徴とする表示機器の支援システム。
【請求項５】
ユーザーまたは運動器具に取り付けられる表示機器が表示する第１オブジェクトの情報と、前記第１オブジェクトの機能に関する説明を含む第１付帯情報と、前記表示機器が備えている第１操作部を含む前記表示機器の外観に関する第２オブジェクトの情報と、前記第１操作部の機能に関する説明を含む第２付帯情報と、をコンピューターに取得させるステップと、
前記取得した前記第１オブジェクトの情報、前記第１付帯情報、前記第２オブジェクトの情報、及び前記第２付帯情報を用いて、前記コンピューターに接続されている表示部に前記第１オブジェクト、前記第１オブジェクトの機能の説明、前記第２オブジェクト、及び前記第１操作部の機能の説明を表示させるステップと、
を前記コンピューターに実行させることを特徴とする表示機器の支援プログラム。
【請求項６】
請求項５に記載の表示機器の支援プログラムが記録されている、コンピューターが読み取り可能な記録媒体。
【請求項７】
第１操作部及び第１表示部を含み、ユーザーまたは運動器具に取り付けられるデバイスと、電子機器との間で通信環境が確立された時に、前記第１表示部に表示される第１オブジェクトの情報と、前記第１オブジェクトの機能に関する説明を含む第１付帯情報と、前記第１操作部を含む前記デバイスの外観に関する第２オブジェクトの情報と、前記第１操作部の機能に関する説明を含む第２付帯情報と、を前記電子機器が取得するステップと、
前記取得した前記第１オブジェクトの情報、前記第１付帯情報、前記第２オブジェクトの情報、及び前記第２付帯情報を用いて、前記電子機器が前記第１オブジェクト、前記第１オブジェクトの機能の説明、前記第２オブジェクト、及び前記第１操作部の機能の説明を出力するステップと、
を含むことを特徴とするデバイスの支援方法。
【請求項８】
第１操作部と、前記第１操作部への操作により表示内容が変更される第１表示部と、を含み、ユーザーまたは運動器具に取り付けられるデバイスから、前記第１操作部を含む前記デバイスの外観に関するオブジェクトの情報と、前記第１操作部の機能に関する説明を含む付帯情報を電子機器が取得するステップと、
取得された前記オブジェクトの情報及び前記付帯情報に基づいて、前記オブジェクトと、前記第１操作部の機能に関する説明を、前記電子機器の表示部に表示するステップと、
前記第１操作部が操作された時に、前記第１表示部の表示内容を変更する更新データを取得するステップと、
前記取得した前記更新データを用いて、前記電子機器の前記表示部に表示される内容を更新するステップと、
を含むことを特徴とするデバイスの支援方法。
【発明の詳細な説明】
【技術分野】
【０００１】
本発明は、デバイスの支援方法、表示機器の支援システム及び電子機器などに関する。
【背景技術】
【０００２】
特許文献１には、時刻表示に加えて、フィットネスモニターとしても機能するリスト装着型機器が開示されている。特許文献２には、実行可能な複数の操作モードの中から何れかを選択して切り替える機能切り替え操作を行うことができるリスト装着型の電子時計が開示されている。この電子時計は、電子時計自体に設けられた操作部を操作して機能切り替えを実施する通常操作に加えて、スマートフォンからの外部操作を受け付けることができる。
【０００３】
特許文献１，２のように、押しボタンスイッチの数が限られ、複雑な操作を行いづらいリスト装着型機器であっても、特許文献２のようにスマートフォンからの外部操作を受け付けることにより、リスト装着型機器の操作の利便性を損なわずに、より多様な機能の動作を可能としている。
【先行技術文献】
【特許文献】
【０００４】
【特許文献１】特表２０１５−５３１２６８号公報
【特許文献２】特開２０１５−１１７９９２号公報
【発明の概要】
【発明が解決しようとする課題】
【０００５】
しかし、携帯型の表示機器は、例えばリスト装着型機器のように使用者のリストに装着されて携帯される機器であるから利便性は高いが、携帯したままで操作モードを変更する操作を、常に他の機器であるスマートフォン等に頼ることは、携帯型の表示機器本来の機能を損なう虞があった。
【０００６】
本発明の幾つかの態様は、表示部の設置に制約がある携帯機器等の表示機器が備える機能を、表示機器とは異なる電子機器により習得させることによって、表示機器を使用する時には電子機器に頼らずに表示機器を使いこなせるように支援することができる表示機器の支援方法、表示機器の支援システム及び表示機器を支援する電子機器を提供することを目的とする。
【０００７】
本発明の他の幾つかの態様は、デバイスが有する表示部または操作部の機能を、デバイスとは異なる電子機器により習得させることによって、デバイスを使いこなせるように支援することができるデバイスの支援方法を提供することを目的とする。
【課題を解決するための手段】
【０００８】
（１）本発明の一態様は、
ユーザーまたは運動器具に取り付けられる表示機器に表示されるオブジェクトの情報、及び前記オブジェクトに関する付帯情報を電子機器により取得するステップと、
前記取得された前記オブジェクトの情報及び前記付帯情報を用いて、前記電子機器が備えている表示部に前記オブジェクト及び前記オブジェクトの機能を表示するステップと、
を含む表示機器の支援方法に関する。
【０００９】
本発明の一態様によれば、表示機器に表示されるオブジェクトの情報、及びそのオブジェクトに関する付帯情報を用いて、電子機器が備える表示部にオブジェクトとオブジェクトの機能とを表示することで、表示機器の使用時には電子機器に頼らずに表示機器を使いこなせるように支援することができる。
【００１０】
（２）本発明の一態様では、前記表示機器が備えている第１操作部を、前記表示部に表示し、前記第１操作部の機能を説明するステップを含むことができる。この場合、電子機器に表示されるオブジェクトは表示機器に設けられている第１操作部である。ここで、表示機器が備える第１操作部は、操作ボタン、操作キー、操作音声入力部、操作振動が入力される振動検出部、タッチパネル式表示部等である。電子機器には、そのような第１操作部がオブジェクトとして表示されると共に、その第１操作部の機能が表示される。
【００１１】
（３）本発明の一態様では、前記表示機器に表示されている前記オブジェクトの表示内容を変更するために前記表示機器に入力された入力情報を取得するステップと、前記入力情報に基づいて、前記表示部に表示する前記オブジェクトを、前記表示内容に応じて変更して表示するステップと、を含むことができる。こうすると、表示機器に表示される様々なオブジェクトを、例えば表示機器よりも表示が見易い電子機器に表示させることにより、表示機器の実使用時以外の時に予め表示機器の使用を疑似的に体験させることができる。
【００１２】
（４）本発明の一態様では、前記付帯情報を用いて、前記表示部に表示している前記オブジェクトの機能を、前記表示内容に応じて変更して表示することができる。このように、表示機器に表示される様々なオブジェクトの機能を、電子機器に表示させることで認識させることで、表示機器の実使用時以外の時に予め部機器の使用をより詳しく疑似的に体験させることができる。
【００１３】
（５）本発明の一態様では、前記電子機器が備える操作部が操作された時に、前記電子機器に予め設定されている前記付帯情報以外の情報に基づいて、前記表示部に表示している前記オブジェクトを他のオブジェクトに変更するステップを含むことができる。つまり、電子機器の表示部に表示される内容は、表示機器の操作部を操作した時だけでなく、電子機器の操作部を操作することによっても変更することができる。それにより、電子機器の操作部を操作して電子機器の表示部に表示される内容を変更し、例えばスキップさせることができる。
【００１４】
（６）本発明の他の態様は、
ユーザーまたは運動器具に取り付けられる表示機器に表示されているオブジェクトの情報及び前記オブジェクトに関する付帯情報を取得する取得部と、
前記取得した前記オブジェクトの情報及び前記付帯情報を用いて、前記オブジェクト及び前記オブジェクトの機能を表示する表示部と、
を含む電子機器に関する。
本発明の他の態様によれば、本発明の一態様に係る表示機器の支援方法を好適に実施することができる。
【００１５】
（７）本発明の他の態様では、前記表示部は、前記表示機器が備える第１表示部よりも表示面積を大きくすることができる。つまり、表示機器が備える第１表示部は小型化等の要請により表示面積が小さくオブジェクトの機能を表示できたとしても見難くなるが、代わって表示面積の大きな電子機器の表示部に表示させることで、オブジェクトの機能を認識することができる。
【００１６】
（８）本発明の他の態様では、前記表示部に表示する前記オブジェクトを他のオブジェクトに変更する情報が入力される操作部をさらに有することができる。それにより、電子機器の操作部を操作して電子機器の表示部に表示される内容を変更し、例えばスキップさせることができる。
【００１７】
（９）本発明のさらに他の態様は、
ユーザーまたは運動器具に取り付けられ、オブジェクトを表示する表示機器と、
前記表示機器の操作を支援する電子機器と、
を含み、
前記電子機器は、
前記オブジェクトの情報及び前記オブジェクトに関する付帯情報を取得する取得部と、
前記取得した前記オブジェクトの情報及び前記付帯情報を用いて、前記オブジェクト及び前記オブジェクトの機能を表示する表示部と、
を含み、
前記表示部は、前記表示機器が備えている第１表示部よりも表示面積が大きい、
表示機器の支援システムに関する。
本発明のさらに他の態様によれば、表示機器に表示されるオブジェクトの情報、及びそのオブジェクトに関する付帯情報を用いて、電子機器が備える表示部にオブジェクトとオブジェクトの機能とを表示することで、表示機器の使用時には電子機器に頼らずに表示機器を使いこなせるように支援することができる。
【００１８】
（１０）本発明のさらに他の態様は、
ユーザーまたは運動器具に取り付けられる表示機器が表示するオブジェクトの情報及び前記オブジェクトに関する付帯情報をコンピューターに取得させるステップと、
前記取得した前記オブジェクトの情報及び前記付帯情報を用いて、前記コンピューターに接続されている表示部に前記オブジェクト及び前記オブジェクトの機能を表示させるステップと、
を前記コンピューターに実行させる表示機器の支援プログラムに関する。
本発明のさらに他の態様に係る表示機器の支援プログラムは、電子機器の記憶装置に内蔵させるか、あるいは表示機器、サーバーまたは記録媒体から電子機器の記憶装置にインストールすることができる。こうして、このプログラムは本発明の一態様に係る表示機器の支援方法の実行を司ることができる。
【００１９】
（１１）本発明のさらに他の態様は、表示機器の支援プログラムが記録されている、コンピューターが読み取り可能な記録媒体に関する。この記録媒体は、電子機器の記憶装置として用いるか、あるいはこの記録媒体から電子機器の記憶装置にプログラムをインストールさせるものとして用いることができる。
【００２０】
（１２）本発明のさらに他の態様は、
操作部及び表示部の少なくとも一方を含み、ユーザーまたは運動器具に取り付けられるデバイスと電子機器との間で通信環境が確立された時に、前記操作部及び前記表示部の少なくとも一方の機能に関する情報を前記電子機器が取得するステップと、
前記取得した前記情報を用いて、前記電子機器が前記機能を出力するステップと、
を含むデバイスの支援方法に関する。
本発明のさらに他の態様によれば、デバイスと電子機器との間で通信環境が確立された時に、デバイスが備える操作部及び表示部の少なくとも一方の機能に関する情報を、デバイスから電子機器に取得させ、電子機器にて出力させることができる。それにより、デバイスの使用時には電子機器に頼らずにデバイスを使いこなせるように支援することができる。ここで、電子機器の出力は、上述した表示出力でもよく、あるいは表示出力以外の出力、例えば音声出力等であっても良い。
【００２１】
（１３）本発明のさらに他の態様は、
操作部を含み、ユーザーまたは運動器具に取り付けられるデバイスから、前記操作部の機能に関する情報を電子機器が取得するステップと、
前記操作部が操作された時に、前記取得した前記情報を用いて、前記機能を出力するステップと、
を含むデバイスの支援方法に関する。
本発明のさらに他の態様によれば、操作部を備えるデバイスから、前記操作部の機能に関する情報を電子機器が取得した後であって、操作部が操作された時に、取得された情報を用いて電子機器がデバイスの操作部の機能を出力することができる。それにより、デバイスの使用時には電子機器に頼らずにデバイスを使いこなせるように仕向けることができる。
【図面の簡単な説明】
【００２２】
【図１】本発明の一実施形態に係る表示機器の支援システムを示す図である。
【図２】本発明が適用される電気機器と表示機器との一例を示す図である。
【図３】本発明が適用される電気機器と表示機器との他の一例を示す図である。
【図４】本発明が適用される電気機器と表示機器とのさらに他の一例を示す図である。
【図５】支援対象の表示機器の概略ブロック図である。
【図６】表示機器の表示部での表示状態の一例を示す図である。
【図７】図６に示す表示状態から操作して得られる他の表示状態を示す図である。
【図８】図６に示す表示状態から他の操作をして得られるさらに他の表示状態を示す図である。
【図９】図８に示す表示状態から操作して得られるさらに他の表示状態を示す図である。
【図１０】表示機器を支援する電子機器の概略ブロック図である。
【図１１】表示機器を支援する電子機器の動作フローチャートである。
【図１２】表示機器の表示画面が図６であるときに電子機器に表示される支援画面を示す図である。
【図１３】表示機器の表示画面が図７であるときに電子機器に表示される支援画面を示す図である。
【図１４】表示機器の表示画面が図８であるときに電子機器に表示される支援画面を示す図である。
【図１５】表示機器の表示画面が図９であるときに電子機器に表示される支援画面を示す図である。
【図１６】表示機器の表示部をタッチパネルとしたときの図１２に代わる表示例を示す図である。
【図１７】表示機器の表示部をタッチパネルとしたときの図１４に代わる表示例を示す図である。
【図１８】表示部を発光部とした表示機器を示す図である。
【図１９】図１８に示す表示機器を支援する電子機器の表紙部に表示される表示例を示す図である。
【図２０】電子機器の変形例を示す図である。
【発明を実施するための形態】
【００２３】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２４】
１．表示機器（デバイス）の支援システム
図１に示すように、表示機器の支援システム１は、表示機器（広義にはデバイス）１０と、その表示機器１０を支援する電子機器１００とを含む。表示機器１０と電子機器１００とは、有線または無線で接続され、この好ましくはBluetooth（登録商標）や赤外線、等を用いた近距離通信が可能である。
【００２５】
本実施形態では、電子機器１００は、ネットワーク例えばインターネット２に接続されている。表示機器１０をインターネット２に接続しても良い。インターネット２には、表示機器支援サーバー２００と、ゴルフプレイ支援サーバー３００とが接続されている。表示機器支援サーバー２００は、電子機器１００が表示機器１０を支援するためのプログラムを、電子機器１００にダウンロードする。これに代えて、電子機器１００は、表示機器１０を支援するためのプログラムを表示機器１０からダウンロードされても良い。ゴルフプレイ支援サーバー３００は、表示機器１０の一つの機能であるゴルフプレイ支援を実行するためのゴルフプレイ支援プログラム、ゴルフマップ、ホール情報、距離情報等を、インターネット２および電子機器１００を経由して、あるいはインターネット２から直接に、表示機器１０にダウンロードする。ゴルフプレイ支援は一例であり、他のアプリケーションプログラムがダウンロードされても良いし、表示機器１０が内臓プログラムを有する場合には、表示機器１０にプログラムをダウンロードする必要はない。
【００２６】
図２〜図４は、表示機器１０と電子機器１００の組み合わせ例を示している。図２〜図４において、表示機器１０は携帯機器、例えばリスト装着型の携帯機器である。表示機器１０は、例えばドットマトリクス方式のフラットパネルから成る表示部１２と、押ボタン１４Ａ〜１４Ｄを含む操作部１４と、を有している。ただし、支援の対象となるデバイスは表示機器１０に限らず、広義には表示部および操作部の一方を有するものであれば良い。
【００２７】
電子機器１００は、図２ではスマートフォン１００Ａであり、図３ではパーソナルコンピューター（以下、パソコンと略記する）１００Ｂであり、図４ではスマートフォン１００Ａを表示機器１０との通信媒体として利用したパーソナルコンピューター１００Ｂである。図２〜図４において、電子機器１００の表示部１０２（スマートフォン１００Ａは表示部１０２Ａ、パソコン１００Ｂでは表示部１０２Ｂ）は、表示機器１０の表示部１２よりも表示画面が大きい。ここで、表示機器１０の表示部１２は、電子機器１００の表示部１０２と区別するために第１表示部とも称する。また、電子機器１００は操作部１０２（スマートフォン１００Ａはタッチパネル型の表示部１０２Ａを兼用、パソコン１００Ｂではキーボード１０４Ｂや図示しないマウス等）を有し、この操作部１０４を表示機器１０の操作部１４と区別するために、表示機器１０の操作部１４を第１操作部と称する。
【００２８】
２．表示機器
図５は、支援対象の表示機器１０の概略ブロック図である。表示機器１０は、表示機器１０の制御を司るＣＰＵ２０を有し、このＣＰＵ２０のバスラインに、上述した操作部１４の他に、以下に示す各部が接続されている。記憶部２２には、この表示機器１０の基本機能を実行するための基本プログラムや、上述したゴルフプレイ支援サーバー３００から取得されたゴルフコースマップ等のデータを含む各種データなどが記憶されている。また、記憶部２２には表示機器１０から取得されるオブジェクトデータやその付帯情報が記憶される。
【００２９】
表示ドライバー２４は、表示部１２を表示駆動する。時計部２６は、発振器からの基準周波数を分周して時刻情報を生成する。ＧＰＳ（Global Positioning System）部２８は、ＧＰＳ衛星から信号を受信して、表示機器１０の現在位置を算出する。慣性センサー３０は、例えば、加速度センサーを含み、加速度を検出することにより、例えばタップ操作の有無が検出される。更に、慣性センサー３０は、角速度センサーを含んでいてもよく、ユーザーがゴルフクラブをスイングしたときの角速度を検出してもよい。心拍センサー（脈拍センサー、脈波センサー等）３２は、この表示機器１０が装着されているユーザーの心拍を検出する。
【００３０】
データ処理部３４は、ＧＰＳ部２８、慣性センサー３０、心拍センサー３２等からのデータが入力され、必要なデータ処理を実施する。データ処理の例として、ゴルフコース上での現在位置からターゲットまでの距離算出や、検出された心拍数が予め定められたどの心拍ゾーンに属するかの判定などである。データ処理部３４にて生成される表示データには、ゴルフコースマップ、心拍を表すシンボルマーク等のオブジェクトデータと、文字データとが含まれる。通信部３６は、電子機器１００とデータ通信し、必要によりインターネット２に接続することができる。
【００３１】
次に、表示機器１０の表示部１２に表示される表示態様の一例について、図６〜図９を参照して説明する。図６は表示されるオブジェクトがゴルフコースマップであるマップ表示例を示している。図６は、ＧＰＳ部２８で算出されたゴルフコース上の現在位置から打撃方向の先にあるフェアウェイ、バンカーＢ１、Ｂ２、ウォーターハザードＷ１およびグリーン等を示すオブジェクトを表示部１２に表示した状態を示している。この表示状態は、操作部１４を操作することで変更できる。
【００３２】
ここで、表示機器１０の操作部１４として、操作ボタン１４Ａ〜１４Ｄを含む。操作ボタン１４Ａは、例えば慣性センサー３０または心拍センサー３２等での計測終了を操作入力するものである。操作ボタン１４Ｂは、設定メニューの表示を操作入力するものである。操作ボタン１４Ｃ、１４Ｄは、表示部１２に表示されている画面の内容によって機能が異なってもよい。ある画面では、操作ボタン１４Ｃは拡大表示を操作入力し、操作ボタン１４Ｄは縮小表示を操作入力する。他の画面では、操作ボタン１４Ｃは上スクロール表示を操作入力し、操作ボタン１４Ｄは下スクロール表示を操作入力する。さらに他の画面では、操作ボタン１４Ｃ、１４Ｄは表示切り替えに用いられる。この他、表示機器１０の表示部１２を短く１回叩くタップ操作により、画面の切り替えを可能としている。タップ操作があったか否かは、加速度センサー３０からの出力に基づいて判断される。
【００３３】
図７は、図６に示すマップ表示状態から操作ボタン１４Ｃを操作して得られる他のマップ表示状態として、オブジェクトであるグリーンの拡大表示状態を示している。図７の表示を図６に戻すには、操作ボタン１４Ｄを操作して縮小表示させればよい。
【００３４】
図８は、図６に示すマップ表示状態から表示部１２を短く１回叩くタップ操作により切り替えられる他の表示状態として、現在位置から各所までの距離表示を示している。図５に示すデータ処理部３４は、ＧＰＳ部２８から取得される現在位置と、ゴルフプレイ支援サーバー３００から取得されたゴルフコースの距離データとに基づいて、現在位置からターゲット例えばグリーン上のピンまでの距離などを算出して、その距離データが表示ドライバー２４を介して表示部１２に表示される。図８には、オブジェクトとしてスクロールバーが表示される。
【００３５】
図９は、図８に示す距離表示状態からタップ操作により切り替えられる他の表示状態として、心拍表示を示している。図５に示すデータ処理部３４は、心拍センサー３２からの信号に基づいて心拍数「９２」を算出するとともに、その心拍数「９２」は予め定められた５つの心拍ゾーンのゾーン１にあることが判定される。心拍数「９２」は、心拍を意味するハートのオブジェクトと共に表示部１２の中心領域に表示される。心拍ゾーン１は、表示部１２の周縁領域の円周領域を５つに分割したうちの一部分に円弧のオブジェクトとして表示される。
【００３６】
ここで、例えば図８の表示画面に示されているアルファベット２文字の意味や縦枠内の上半分が濃く表示されている意味は、表示機器１０を使い始めたばかりの初心者にとっては不明である。図９の心拍ゾーン１も説明がなければ初心者にとっては意味が不明である。さらには、表示画面の表示内容だけでなく、操作部１４の機能も初心者にとっては不明である。特に、操作ボタン１４Ｃ、１４の機能は、図６および図７の表示状態と、図８の表示状態と、図９の表示状態とでそれぞれ異なるが、説明がなければ初心者にはどう異なるのか意味が不明である。しかし、表示機器１０はリスト装着型機器として小型化が要求されるので、表示部１２を大きくして表示内容の説明を付加することはできない。あるいは、支援対象のデバイスの中には元々表示部が存在しないものもある。そうすると、初心者はボリュームのある取扱説明書で確認しなければならず、煩雑であった。
【００３７】
３．表示機器を支援する電子機器
図１０は、表示機器１０を支援する電子機器１００の概略ブロック図である。電子機器１００は、電子機器１００の制御を司るＣＰＵ１２０を有し、このＣＰＵ１２０のバスラインには、上述した操作部１０４の他に、以下に示す各部が接続されている。記憶部１２２は、この表示機器１０の基本機能を実行するための基本プログラムや、上述した表示機器支援サーバー２００から取得された表示機器支援プログラムや、各種データなどが記憶されている。
【００３８】
表示ドライバー１２４は、表示部１０２を表示駆動する。データ処理部１２６は、各種データが入力され、基本プログラムまたは表示機器支援プログラムに従ってデータ処理を実施して、表示部１０２にて表示される表示データを生成する。この表示データには、ゴルフコース等のオブジェクトデータと、その付帯情報である説明文等のテキストデータとが含まれる。通信部１２８は、表示機器１０とデータの通信を行い、あるいはインターネット２に接続して、プログラムやデータを取得する。よって、通信部１２８は取得部とも称する。データ処理部１２６は、操作部１０４、記憶部１２２、通信部１２８から取得されるデータを処理する。
【００３９】
次に、電子機器１００による表示機器支援動作を図１１に示すフローチャートに従って説明する。ただし、電子機器１００はすでに表示機器支援プログラムを取得しているものとする。図１１において、電子機器１００は表示機器１０との間に例えば近距離通信等の通信環境が確立したか否かを判定する（ステップ１）。通信環境が確立していれば（ステップ１がＹＥＳ）、表示機器支援モードとなり、電子機器１００は表示機器１０または表示機器支援サーバー２００より通信部１２６にて各種データを取得する（ステップ２）。各種データには、表示機器支援プログラムに従って表示機器１０より取得されるオブジェクト情報とその付帯情報とが含まれる。付帯情報は、オブジェクトの説明文であるテキストデータを含む。付帯情報は、表示機器１０との通信方法に関するデータを含んでも良い。さらに、付帯情報は、電子機器１００が表示機器１０の表示部１２の表示内容を変更できる操作に関するデータを含むことができる。より広義にいえば、表示機器支援プログラムに従って表示機器１０から電子機器１００が取得する情報は、表示機器１０の表示部１２および操作部１４の少なくとも一方の機能に関する情報であり、狭義には表示機器１０の表示部１２および操作部１４の少なくとも一方のオブジェクト（表示部１２での表示内容含む）と、表示部１２および操作部１４の少なくとも一方の機能に関する説明である。なお、表示機器１０より取得される情報は、表示機器支援サーバー２００から取得されても良い。この場合、表示機器支援サーバー２００は、表示機器１０での操作をトリガーとして、必要な情報を電子機器１００に送信することができる。
【００４０】
電子機器１００は、上述したデータの取得後に、表示機器１０の表示部１２に表示されているオブジェクトおよび説明文であるテキストデータに基づいて、電子機器１００の表示部１０２に例えば図１２に示すように表示する（ステップ３）。ここで、図１２には、図６に示す表示機器１０の表示部１２、操作部１４、表示部１２に表示されたオブジェクト（マップ）や文字、表示部１２及び操作部１４の機能の説明が表示される。図１２において、表示機器１０の表示部１２の機能の説明として、「この画面ではコースマップが表示されます」旨が表示される。表示機器１０の操作部１４の機能の説明として、例えば操作ボタン１４Ｃについて、「拡大」と表示される。
【００４１】
次に、表示機器１０の操作部１４が操作されたか否かが判断される（ステップ４）。この判定のために、表示機器支援モードでは、表示機器１０の操作部１４の操作された情報は電子機器１００にも入力される。表示機器１０の操作部１４が操作されると（ステップ４がＹＥＳ）、表示機器１０の表示部１２の表示は更新され（ステップ５）、更新された表示に関するデータが表示機器１０より電子機器１０に取得され（ステップ２）、電子機器１００の表示部１０２の表示も更新される（ステップ３）。
【００４２】
図７および図１３は、図６及び図１２に示す表示状態の時に、表示機器１０の操作ボタン１４Ｃが操作された後の更新表示を示している。図７および図１３において、操作ボタン１４Ｃの操作に従い、図６及び図１２に示すコースマップのオブジェクトは、その一部であるグリーンが拡大されて表示される。図１２と図１３とでは、コースマップのオブジェクトのみが更新され、表示部１２及び操作部１４の機能の説明に変更はない。
【００４３】
図８および図１４は、図６及び図１２に示す表示状態の時に、表示機器１０がタップ操作された後の更新表示を示している。図８および図１４において、表示機器１０へのタップ操作に従い、図６及び図１２に示すコースマップのオブジェクトは、スクロールバーのオブジェクトと、距離表示の文字情報とに更新される。図１４において、表示機器１０の表示部１２の機能の説明として、「この画面ではコース上のターゲット等の距離がリスト表示されます」の旨が更新表示される。また、表示機器１０の表示部１２の機能の説明として、各ターゲットを示すアルファベット２文字の意味が更新表示される。また、表示機器１０の操作部１４の機能の説明として、例えば操作ボタン１４Ｃについて、「上にスクロール」と更新表示される。
【００４４】
上述の通り図１１に示す２回目のステップ３が実行されたら、再度、表示機器１０の操作部１４が操作されたか否かが判断される（ステップ４）。ここで、表示機器１０の操作部１４が再度操作されると（ステップ４がＹＥＳ）、表示機器１０の表示部１２の表示は再度更新され（ステップ５）、更新された表示に関するデータが表示機器１０より電子機器１０に取得され（ステップ２）、電子機器１００の表示部１０２の表示も再度更新される（ステップ３）。
【００４５】
図９および図１５は、図８及び図１４に示す更新表示状態の時に、表示機器１０がタップ操作された後の更新表示を示している。図９および図１５において、表示機器１０へのタップ操作に従い、図８及び図１４に示すスクロールバーのオブジェクトは、心拍を意味するハートと心拍ゾーンとのオブジェクトと、心拍数を示す数字とに更新される。図１５において、表示機器１０の表示部１２の機能の説明として、「この画面では心拍数と心拍ゾーンがリスト表示されます」の旨が更新表示される。また、表示機器１０の表示部１２の機能の説明として、心拍ゾーン１〜５の意味が表示される。また、表示機器１０の操作部１４の機能の説明として、例えば操作ボタン１４Ｃについて、「表示切替」と更新表示される。
【００４６】
図１１において、表示機器１０の操作部１４が操作されないと（ステップ４がＮＯ）、表示機器１０と電子機器１００との間に通信環境が成立しているか否かが判定され（ステップ６）、成立していれば電子機器１００の操作部１０４を介して一定の操作がされたか否かが判定される（ステップ７）。本実施形態では、表示機器支援モードにおいて、電子機器１００での一定の操作に限り受け付けている。この一定の操作として、例えば、「前に戻る」、「スキップ」、「強制終了」または「最初から」等を挙げることができる。電子機器１００側でそのような一定の操作があったときは（ステップ７がＹＥＳ）、その操作情報を電子機器１００から表示機器１０に送信して（ステップ８）、表示機器１０の表示が更新される（ステップ９）。また、電子機器１００の操作により、電子機器１００の機能に基づいて表示部１０２の表示内容を更新するステップ３を実行することになる。このようにすると、表示機器１０および電子機器１００の表示は、表示機器１０の操作だけでなく、電子機器１００での一定の操作に従って更新されることになる。こうして、表示機器支援モードにおいて、表示機器１０または電子機器１００を操作して、ゴルフコース上での表示機器１００の使用を疑似体験することができる。それにより、ゴルフコース上での使用時には電子機器１００に頼らずに表示機器１０を使いこなせるように仕向けることができる。この表示機器の支援モードは、ステップ６において、表示機器１０と電子機器１００との間に通信環境が成立しなくなった時点で終了する。
【００４７】
４．変形例
上記のように本実施形態について詳細に説明したが、本発明の新規事項および効果から実体的に逸脱しない多くの変形が可能であることは当業者には容易に理解できる。従って、このような変形例はすべて本発明の範囲に含まれるものとする。例えば、上述した実施形態は、支援対象機器が表示機器であったが、表示部及び操作部の少なくとも一方を有するデバイスにも適用できることは言うまでもない。
【００４８】
４．１．表示機器の変形例１と電子機器での表示例
図２〜図４に示す表示機器１０は、表示部１２をタッチパネルとすることができる。この場合、電子機器１００の表示部１０２には、図１２および図１４の表示に代えて図１６および図１７に示すオブジェクトが表示される。図１６および図１７では、図１２および図１４に示すオブジェクトに追加して、タッチパネルへの操作を示す指先とその移動方向を示す矢印のオブジェクトが表示される。図１６および図１７では省略されているが、タッチパネル操作部の機能の説明として、「スワイプ：画面切り替え」、「長押し：詳細表示」、「ピンチアウト：拡大」、「ピンチイン：縮小」、「フリック：画面スクロール」等の文字を表示することができる。
【００４９】
４．２．表示機器の変形例２と電子機器での表示例
図１８は、表示画面および操作ボタンを有せず、発光部４２から成る表示部と、タッチ操作が入力される操作部とを有する表示機器４０を示している。表示部（発光部）４２は、例えばＬＥＤ等の点灯、点滅等により例えば心拍ゾーンの情報をユーザーに報知する。図１８に示す表示機器４０は、図５に示す時計部２６、ＧＰＳ部２８は不要であり、表示部１２および表示ドライバー２４に代えて、表示部（発光部）４２とそのドライバーとが設けられる。
【００５０】
図１９は、図１８に示す表示機器４０を支援する電子機器１００の表紙部１０２に表示される表示例を示している。図１９は、５つのＬＥＤの点灯または点滅により、７つの心拍ゾーンが表現される説明である。ここで、ウォーミングアップのゾーンは一つのＬＥＤが点滅し、瞬発力・運動能力向上のゾーンは、５つのＬＥＤがより早く点滅し、残りの５つのゾーンでは１〜５個のＬＥＤが点灯することで、７つの心拍ゾーンに区分される。図１９は表示部（発光部）４２のオブジェクト（５つのＬＥＤ）とその機能の説明を示しているが、加えて、タッチ操作の説明が追加されても良い。
なお、表示機器４０は、前述したリスト装着型の携帯機器に限定されず、ゴルフクラブ、テニスラケット、野球用バット、等の運動器具に取り付けられ、運動器具のスイングを検出し、ＬＥＤ等の発光部（表示部）を備えている慣性センサーユニットであってもよい。
【００５１】
４．３．電子機器の変形例
図２０は、図２〜図４に示す電子機器１００であるスマートフォンやパソコンに代わる電子機器として頭部装着型電子機器（ＨＭＤ：ヘッドマウントディスプレイ）を示している。
【００５２】
図２０に示すように、ＨＭＤ５００は、ユーザーの頭部に装着される眼鏡本体５０１を有する。眼鏡本体５０１には、表示部５０２が設けられている。表示部５０２は、画像表示部５０３から射出した光束を、外界からユーザーの眼に向かう光束に統合することで、ユーザーから見た外界の実像に画像表示部５０３の虚像を重畳させる。
【００５３】
表示部５０２には、例えば、ＬＣＤ（液晶ディスプレー）等の画像表示部５０３と、第１ビームスプリッター５０４と、第２ビームスプリッター５０５と、第１凹状反射ミラー５０６と、第２凹状反射ミラー５０７と、シャッター５０８と、凸状レンズ５０９とが備えられる。
第１ビームスプリッター５０４は、ユーザーの左眼の正面に配置され、画像表示部５０３から射出した光を、部分透過及び部分反射させる。
第２ビームスプリッター５０５は、ユーザーの右眼の正面に配置され、第１ビームスプリッター５０４からの部分透過光を、部分透過及び部分反射させる。
第１凹状反射ミラー５０６は、第１ビームスプリッター５０４の正面に配置され、第１ビームスプリッター５０４の部分反射光を部分反射させて、第１ビームスプリッター５０４を透過させてユーザーの左眼に導く。
第２凹状反射ミラー５０７は、第２ビームスプリッター５０５の正面に配置され、第２ビームスプリッター５０５の部分反射光を部分反射させて、第２ビームスプリッター５０５を透過させてユーザーの右眼に導く。
凸状レンズ５０９は、シャッター５０８が開放された時に第２ビームスプリッター５０５の部分透過光をＨＭＤ５００の外部に導く。
【００５４】
以上のＨＭＤ５００によると、ユーザーは、電子機器を手で持たずに表示を確認することができる。従って、ＨＭＤ５００を表示機器１０，４０の支援装置として用いると、表示機器１０，４０を携帯しているときにもＨＭＤ５００を表示機器１０，４０の支援装置として用いることが可能となる。
【符号の説明】
【００５５】
１…表示機器の支援システム、１０，４０…表示機器、１２…表示部、１４（１４Ａ〜１４Ｄ）…第１操作部、４２…第１表示部（発光部）、１００，５００…電子機器、１０２，５０２…表示部、１０４…操作部
【図１】
0006699279.tif 000002
【図２】
0006699279.tif 000003
【図３】
0006699279.tif 000004
【図４】
0006699279.tif 000005
【図５】
0006699279.tif 000006
【図６】
0006699279.tif 000007
【図７】
0006699279.tif 000008
【図８】
0006699279.tif 000009
【図９】
0006699279.tif 000010
【図１０】
0006699279.tif 000011
【図１１】
0006699279.tif 000012
【図１２】
0006699279.tif 000013
【図１３】
0006699279.tif 000014
【図１４】
0006699279.tif 000015
【図１５】
0006699279.tif 000016
【図１６】
0006699279.tif 000017
【図１７】
0006699279.tif 000018
【図１８】
0006699279.tif 000019
【図１９】
0006699279.tif 000020
【図２０】
0006699279.tif 000021